(57)【要約】      （修正有）【課題】簡単な構成で、繰出された測定テープを安定的に自動ロックし、且つロック解除も円滑になし得るロック装置を備えた新規な巻尺を提供する。【解決手段】ロックレバー８と一体連結されたロック解除操作ボタン９とよりなるロック装置７を備えた巻尺１であって、ロックレバー８は、本体ケース２の測定テープ繰出部２ｂにおいて、巻取軸１０と平行な支軸１１周りに揺動可能に支持され且つロックレバー８と本体ケース２との間に介装された弾性部材１１によって常時測定テープ３の巻取方向に付勢され、測定テープ３の繰出時にはロックレバー８の先端作用部８ａに測定テープ３が摺接してその繰出が許容される。測定テープ３の繰出後に繰出力が付加されなくなった場合、ロックレバー８が弾性部材１１の付勢力によって巻取り方向に揺動して測定テープ３をロックレバー８の先端作用部８ａと本体ケース２の内壁部２ｃとの間に緊合させロックする。【選択図】図１
2007033407.tif 000002
【特許請求の範囲】
【請求項１】
本体ケースと、該本体ケース内に巻取軸周りに巻取及び繰出自在に収納された測定テープと、該測定テープを巻取り付勢する付勢手段と、該付勢手段の付勢力に抗して繰出された測定テープを繰出位置にロック保持するロック装置とを備えた巻尺であって、
上記ロック装置は、ロックレバーと、該ロックレバーに一体連結されたロック解除操作ボタンとよりなり、該ロックレバーは、上記本体ケースの測定テープ繰出部において、上記巻取軸と平行な支軸周りに揺動可能に支持され且つロックレバーと本体ケースとの間に介装された弾性部材によって常時測定テープの巻取方向に付勢され、測定テープの繰出時にはロックレバーの先端作用部に測定テープが摺接してその繰出が許容され、測定テープの繰出後に繰出力が付加されなくなった場合は、ロックレバーが上記弾性部材の付勢力によって巻取り方向に揺動して測定テープをロックレバーの先端作用部と本体ケースの内壁部との間に緊合させてロックするようにしたことを特徴とする巻尺。
【請求項２】
請求項１に記載の巻尺において、
前記ロック解除操作ボタンは、その押圧操作によって前記ロックレバーを測定テープの繰出方向に揺動させて前記ロックを解除するものであって、このロック解除によって、測定テープは前記巻取付勢力によって自動的に巻取られるようにしたことを特徴とする巻尺。
【請求項３】
請求項１又は２に記載の巻尺において、
前記ロックレバーの先端作用部は、測定テープの繰出方向に湾曲した形状とされていることを特徴とする巻尺。
【請求項４】
請求項１乃至３のいずれかに記載の巻尺において、
前記ロックレバーの先端作用部には、弾性摩擦部材が添着されていることを特徴とする巻尺。
【請求項５】
請求項１乃至４のいずれかに記載の巻尺において、
前記ロックレバーの先端作用部の下面幅方向中央部には、測定テープの長手方向に沿った凹溝が形成されていることを特徴とする巻尺。
【発明の詳細な説明】
【技術分野】
【０００１】
本発明は、本体ケース内に測定テープを巻取り或いは繰出し可能に収納し且つ測定テープを繰出位置にロック保持し得るロック装置を備えた巻尺に関する。
【背景技術】
【０００２】
従来、鋼板、織布、プラスチック材等からなる長尺の測定テープを本体ケース内に巻取り収納し、使用時にはその繰出し口から所望長さに繰出せるようにした巻尺が、建築現場等の産業分野や一般家庭等において広く用いられている。上記巻取りは、手巻き式の他に、ゼンマイバネの戻り力を利用した自動巻取り方式が多く採用されている。また、鋼板製の測定テープとしては、幅方向に湾曲し（コンベックス）、繰出された時にはその湾曲形状への形状記憶性により直線状を維持し得るようにしたものが採用されている。上記のような自動巻取り方式の巻尺の使用に際しては、ゼンマイバネの戻り力（巻取付勢力）に抗して測定テープが所望長さに繰出される。この時、測定テープには常時巻取付勢力が作用しているから、測定テープを繰出した後、手放すと自動的に巻取られてしまう。従って、この種の自動巻取り方式の巻尺では、何等かのロック手段が付設され、測定テープを所望の繰出し位置でロック維持するようになされている。
【０００３】
従来、上記ロック手段としては、操作ボタンのスライド操作し、該操作ボタンに連動するロック部材によって測定テープを拘束しロックするような機構が採用されていた。しかし、このような機構の場合、測定テープを繰出した上で、操作ボタンのロック操作も必要とされる為、操作上の煩雑感があることは否めなかった。そこで、測定テープを繰出して手放すだけで自動的にロックされ、ロック解除用操作ボタンを操作すると自動的に測定テープが巻取られるようにした機構も開発され、実用化されるようになった。特許文献１には、このようなロック装置を備えた巻尺の例が開示されている。
【特許文献１】国際公開第０３／０６４９６４号パンフレット
【発明の開示】
【発明が解決しようとする課題】
【０００４】
上記特許文献１に開示されたロック装置は、ヒンジピンによって前後に揺動可能に支持されたロックレバーの揺動端に、シリンダーが該ロックレバーの直交方向に摺動可能に連結され、更に、シリンダーの先端には楔形状のストッパが固着され、該ストッパとロックレバーとの間にコイルスプリングが弾装されてなる。上記ストッパは、繰出部に位置する測定テープの直線部分と、巻取ボビンに巻取られた測定テープの巻回最外周部とに接するように、上記コイルスプリングによって常時付勢されている。そして、測定テープを繰出す際には、測定テープがストッパの表面に摺接し、その繰出が許容される。そして、所望の繰出し位置で測定テープを手放すと、巻取付勢力により測定テープが巻き戻されようとするが、上記楔形状のストッパが、上記コイルスプリングの付勢力によって、測定テープの上記直線部と巻回最外周部とにより形成される略三角形状部に食い込むように変位し、その楔的作用によって測定テープが拘束され、その巻き戻しが阻止（ロック）される。このロック解除は、ロックレバーの反揺動端側を押圧操作し、その反作用を利用して、ストッパの上記略三角形状部への食い込みを緩めることによってなされる。
【０００５】
上記ストッパの略三角形状部への食い込みは、コイルスプリングの付勢力に、測定テープの上記直線部及び巻回最外周部に作用する巻取付勢力が相乗されるから、食い込み力が強く安定したロック維持がなされる。しかし、逆に食い込み力が強い為に、上記のようなロック解除操作をしてもストッパの上記略三角形状部への食い込み緩和が円滑になされないことがある。また、測定テープの巻回最外周部は、測定テープの繰出し長さによって径が変化し、上記略三角形状部の形状も変化するから、この部分への食い込み状態が一定せず、測定テープの繰出し長さによってロック状態が変化することが予想される。更に、ロックレバー、シリンダー、コイルスプリング及びストッパ等の複数の部品を準備し組立てる必要がある為、部品点数が多くなり、コスト高の原因となることも予想されるところであった。
【０００６】
本発明は、上記実情に鑑みなされたものであり、簡単な構成で、繰出された測定テープを安定的に自動ロックし、且つロック解除も円滑になし得るロック装置を備えた新規な巻尺を提供することを目的としている。
【課題を解決するための手段】
【０００７】
請求項１の発明に係る巻尺は、本体ケースと、該本体ケース内に巻取軸周りに巻取及び繰出自在に収納された測定テープと、該測定テープを巻取り付勢する付勢手段と、該付勢手段の付勢力に抗して繰出された測定テープを繰出位置にロック保持するロック装置とを備えた巻尺であって、上記ロック装置は、ロックレバーと、該ロックレバーに一体連結されたロック解除操作ボタンとよりなり、該ロックレバーは、上記本体ケースの測定テープ繰出部において、上記巻取軸と平行な支軸周りに揺動可能に支持され且つロックレバーと本体ケースとの間に介装された弾性部材によって常時測定テープの巻取方向に付勢され、測定テープの繰出時にはロックレバーの先端作用部に測定テープが摺接してその繰出が許容され、測定テープの繰出後に繰出力が付加されなくなった場合は、ロックレバーが上記弾性部材の付勢力によって巻取り方向に揺動して測定テープをロックレバーの先端作用部と本体ケースの内壁部との間に緊合させてロックするようにしたことを特徴とする。
【０００８】
本発明においては、請求項２の発明のように、前記ロック解除操作ボタンを、その押圧操作によって前記ロックレバーを測定テープの繰出方向に揺動させて前記ロックを解除するものとし、このロック解除によって、測定テープは前記巻取付勢力によって自動的に巻取られるようにすることができる。また、請求項３のように、前記ロックレバーの先端作用部は、測定テープの繰出方向に湾曲した形状とされていることが望ましい。更に、請求項４の発明のように、ロックレバーの先端作用部に、弾性摩擦部材を添着させることもできる。この弾性摩擦部材としては、ゴム、スポンジ或いはフエルト等が採用される。加えて、請求項５の発明のように、前記ロックレバーの先端作用部の下面幅方向中央部に、測定テープの長手方向に沿った凹溝を形成することも可能である。
【発明の効果】
【０００９】
請求項１の発明に係る巻尺においては、ロック装置が、本体ケースに対し測定テープの巻取軸と平行な支軸周りに揺動可能に支持されたロックレバーと、該ロックレバーに一体連結されたロック解除操作ボタンとよりなるから、部品点数少なく構造が簡単で、製品コストの高騰を来たす懸念がない。また、測定テープの繰出時に、ロックレバーの先端作用部に測定テープが摺接してその繰出が許容され、測定テープの繰出後に繰出力が付加されなくなった場合、ロックレバーが弾性部材の付勢力により上記巻取り方向へ揺動し測定テープをロックするようにしているから、ロックの為の操作ボタンの煩わしい操作を必要とせずに自動的にロックがなされる。しかも、測定テープをロックレバーの先端作用部と本体ケースの内壁部との間に緊合させてロックするようにしているから、前記従来例のように、測定テープの直線部と巻回最外周部との略三角形状部にストッパが強く食い込んで、ロック解除が円滑になされないようなこともなく、更に、測定テープの巻回最外周部の径変化によってロック状態が変化するようなこともない。
【００１０】
また、ロック解除操作ボタンを請求項２の発明のように構成すれば、ロック解除操作ボタンの押圧操作のみで測定テープのロック解除が簡易になされる。更に、請求項３の発明のように、ロックレバーの先端作用部の形状を測定テープの繰出方向に湾曲した形状とすれば、測定テープの繰出時の抵抗が緩和され、繰出が円滑になされる、更にまた、請求項４の発明のように、ロックレバーの先端作用部に弾性摩擦部材を添着すれば、測定テープの繰出時におけるロックレバーの揺動を助長して繰出を円滑になし得ると共に、ロック時の測定テープに対する衝撃を緩和して目盛面の傷付き発生を抑制することもできる。
【００１１】
また、請求項５の発明のように、ロックレバーの先端作用部の下面に、測定テープの長手方向に沿った凹溝を形成するようにすれば、ロックレバーの先端作用部と測定テープとの間に空間が形成される。特に、コンベックステープのように幅方向に湾曲している場合には、その中央部の凹曲部に異物が溜り易いが、このように空間が形成されていると、測定テープの引き戻し時に異物が緊合部に噛み込むことがなく、従って、異物による目盛面の傷付きも防止される。
【発明を実施するための最良の形態】
【００１２】
以下に本発明の最良の実施の形態について、図面に基づいて説明する。図１は本発明の巻尺の一例を示す部分切欠横断平面図、図２は同巻尺における測定テープの繰出状態を示す同様図、図３は同繰出位置で測定テープをロックした状態を示す同様図、図４はロックの原理を示す概念図、図５は同ロック解除動作の状態を示す同様図、図６は図１におけるＸ−Ｘ線拡大断面図である。
【実施例】
【００１３】
図１に示す巻尺１は、硬質合成樹脂等により成型された２つ割りの本体ケース２内に、目盛が付された長尺の測定テープ３を巻取軸４周りに巻取り及び繰出し自在に収納してなる。２０は、当該２つ割りの本体ケース２を相互に締結一体化させる為のビス孔である。測定テープ３は幅方向に湾曲した鋼板製のコンベックステープからなり、その基部側には、巻取軸４に基端部が固設されたゼンマイバネ（巻取付勢手段）５が連結され（図１では、測定テープ３とゼンマイバネ５との連結部分は省略されている。）、常時は巻取軸４の周りに弾性的に巻取付勢され、巻取ドラム６の周囲に巻装されている。６ａは、該巻取ドラム６を保持し、ゼンマイバネ５及び測定テープ３を整然と巻取る巻取リールである。測定テープ３は、コンベックステープの湾曲形状への形状記憶特性により、繰出された時には直線状を維持し得ることは、従来公知のものと同様である。また、コンベックステープ以外の織布、プラスチック材等からなる長尺のテープも採用することができる。
【００１４】
測定テープ３の先端部には測定基準金具を兼ねるフック部材３ａが取付けられ、測定テープ３の本体ケース２内での収納状態では、繰出口２ａにこのフック部材３ａが露出係止されている。測定テープ３を繰出口２ａから繰出す際は、測定テープ３は上記ゼンマイバネ５の付勢弾力に抗して引出されるが、そのまま手放すとこの付勢弾力によって巻き戻されてしまうので、図例の巻尺では所望の繰出し位置に測定テープ３を静止させるロック装置７が組み付けられている。該ロック装置７は、ロックレバー８と、該ロックレバー８に一体連結されたロック解除操作ボタン９とよりなり、硬質合成樹脂の一体成型体からなる。該ロックレバー８は、上記本体ケース２の測定テープ繰出部２ｂにおいて、上記巻取軸４と平行な支軸１０周りに揺動可能に支持され且つロックレバー８と本体ケース２との間に介装された板バネ（弾性部材）１１によって常時測定テープ３の巻取方向に付勢されている。ロック解除操作ボタン９は本体ケース２の外部に露出し、手指による押圧操作が可能とされている。
【００１５】
上記ロックレバー８の先端作用部８ａは、測定テープ３の繰出方向に凸曲状に湾曲した形状とされており、この先端作用部８ａの表面にはゴム等からなる弾性摩擦部材８ｂが添着されている。図１は、測定テープ３の先端フック部材３ａが繰出口２ａに係止され、ロックレバー８は板バネ１１の付勢弾力により支軸１０を支点として時計回りに回動付勢され、且つ上記先端作用部８ａは弾性摩擦部材８ｂをして測定テープ３の直線部３ｂの表面に弾接されている状態を示す。弾性摩擦部材８ｂが測定テープ３の直線部３ｂの表面に弾接する部位に対応する本体ケース２の内壁部には凹部２ｃが形成されている。
【００１６】
図２は上記構成の巻尺１における測定テープ３の繰出状態を示し、同図の白抜矢示方向に測定テープ３を引出してゆくと、上記ロックレバー８の先端作用部８ａに添着された弾性摩擦部材８ｂと測定テープ３の表面との摺接摩擦作用によって、ロックレバー８は板バネ１１の弾力に抗して図の２点鎖線位置から実線位置に変位し、また、両位置間の揺動を繰り返しながら測定テープ３の摺接繰出が許容される。この時、ロックレバー８の先端作用部８ａが、上記のように測定テープ３の繰出方向に凸曲状に湾曲した形状とされているから、その繰出時の摺接抵抗を緩和し、測定テープの繰出しが円滑になされる。
【００１７】
そして、図３のように、測定テープ３の上記繰出しを停止し測定テープ３を手放すと、繰出された測定テープ３は、上記ゼンマイバネ５の巻取付勢力によって、巻取ドラム６に巻き戻されようとする。而して、ロックレバー８は、板バネ１１の復元弾力によって、支軸１０を支点として時計回りに揺動付勢され、その先端作用部８ａは、弾性摩擦部材８ｂを介して測定テープ３の表面に弾接される。従って、測定テープ３は、ロックレバー８の先端作用部８ａと本体ケース２の内壁部、即ち、凹部２ｃとの間に緊合され、巻き戻されることなくこの位置でロック保持される。
【００１８】
図４に示すように、上記支軸１０の軸心１０ａと繰出部２ｂ内における測定テープ３の直線部３ｂとの最短距離Ｄは、ロックレバー８における軸心１０ａと最長先端部間（弾性摩擦部材８ｂの突端部分）との間の長さＬより小とされているから、上記緊合は確実になされる。しかも、この緊合部位に対応する本体ケース２の内壁部が凹部２ｃとされているから、ロックレバー８の先端作用部８ａが測定テープ３を凹ませるようアンカー的に作用し、これに測定テープ３の巻き戻し力が付加され、その拘束効果が有効に発現されてより確実な緊合がなされる。更に、この緊合は、ロックレバー８の先端作用部８ａと本体ケース２の内壁部、即ち、凹部２ｃとの間でなされるから、前記従来例のように測定テープ３の繰出長さの影響を受けることなく安定した緊合状態とされる。
【００１９】
上記ロック状態を解除させるには、図５に示すように、ロック解除操作ボタン９を手指Ｆにて実線矢示方向に押圧操作し、板バネ１１の弾力に抗してロックレバー８を２点鎖線位置から実線位置に揺動させる。これによって、ロックレバー８の先端作用部８ａが測定テープ３の直線部３ｂから離れて上記拘束力が作用されなくなるから、測定テープ３は、白抜矢示のようにゼンマイバネ５の巻取付勢力によって、巻取ドラム６に巻き戻される。このロック解除は、上記緊合を解除する方向にロックレバー８を揺動させるだけであるから、前記従来例のような強い食い込み力に抗するものではなく確実になされる。そして、この巻き戻しの途中で、上記手指Ｆによるロック解除操作ボタン９の押圧操作を停止すると、ロック装置７によるロックが再度なされ、測定テープ３の所望長さの繰出ロック維持が簡易且つ的確になされる。
【００２０】
図６はロックレバー８の先端作用部８ａの望ましい形状の例を示すものであり、該先端作用部８ａの下面幅方向中央部には、測定テープの長手方向に沿った凹溝８ｃが形成されている。該凹溝８ｃの両側部にゴム等の弾性部材８ｂ、８ｂが添着されており、上記測定テープ３に緊合時には、この両側の弾性部材８ｂ、８ｂが測定テープ３の弾接し、中央の凹溝８ｃ部分には空間が形成される。従って、測定テープ３が図のようにコンベックステープであって、中央部に異物ｄ…が溜り易い場合でも、上記弾接部位にこの異物ｄ…が介在せず、測定テープ３の引き戻し時の異物ｄ…の噛み込みによる目盛面の傷付き発生が抑えられる。
【００２１】
尚、上記実施例において、ロックレバー８を揺動付勢する板バネ１１に代え、ロックレバー８を支軸１０を支点として時計回り、即ち、測定テープ３の巻取方向に付勢するものであれば、圧縮コイルバネ等、その他の弾性部材を採用し得ることは言うまでもない。また、ロック装置７の形状や、巻尺１の外形状は図例のものに限定されないことも当然であり、更に、本体ケース２やロック装置７も硬質合成樹脂の一体成型体に限定されるものではない。
【図面の簡単な説明】
【００２２】
【図１】本発明の巻尺の一例を示す部分切欠横断平面図である。
【図２】同巻尺における測定テープの繰出状態を示す同様図である。
【図３】同繰出位置で測定テープをロックした状態を示す同様図である。
【図４】ロックの原理を示す概念図である。
【図５】同ロック解除動作の状態を示す同様図である。
【図６】図１におけるＸ−Ｘ線拡大断面図である。
【符号の説明】
【００２３】
１      巻尺
２      本体ケース
２ｂ    測定テープ繰出部
２ｃ    凹部（本体ケースの内壁部）
３      測定テープ
４      巻取軸
５      ゼンマイバネ（巻取付勢手段）
７      ロック装置
８      ロックレバー
８ａ    先端作用部
８ｂ    弾性摩擦部材
８ｃ    凹溝
９      ロック解除操作ボタン
１０    支軸
１１    板バネ（弾性部材）
【図１】
2007033407.tif 000003
【図２】
2007033407.tif 000004
【図３】
2007033407.tif 000005
【図４】
2007033407.tif 000006
【図５】
2007033407.tif 000007
【図６】
2007033407.tif 000008